(57)【要約】      （修正有）【課題】トイレの意匠性を高めつつ、洋式トイレの蓋に指をかけないで、かつ直接蓋に触れることなく容易に蓋を開くことができる洋式トイレの蓋カバーを提供する。【解決手段】洋式トイレの蓋９０に取り付けられる蓋カバー１０であって、蓋の表面を被覆するカバー部２０と、カバー部の外周縁２１から内側に延設され蓋の前端部９１ないし周縁部９２の少なくとも一部を収容するポケット部３０と、蓋の後端部９３と係着する固定部４０とを備え、カバー部の前端近傍中央に取っ手部が形成されていて、取っ手部とカバー部との間に手指が挿入可能な空隙部が形成されている。【選択図】図２
0003211818.tif 000002
【実用新案登録請求の範囲】
【請求項１】
洋式トイレの蓋に取り付けられる蓋カバーであって、
前記蓋の表面を被覆するカバー部と、前記カバー部の外周縁から内側に延設され前記蓋の前端部ないし周縁部の少なくとも一部を収容するポケット部と、前記蓋の後端部と係着する固定部とを備え、
前記カバー部の前端近傍中央に取っ手部が形成されていることを特徴とする洋式トイレの蓋カバー。
【請求項２】
前記取っ手部とカバー部との間に手指が挿入可能な空隙部が形成されていることを特徴とする請求項１に記載の洋式トイレの蓋カバー。
【請求項３】
前記蓋カバーが布製である請求項１又は２に記載の洋式トイレの蓋カバー。
【考案の詳細な説明】
【技術分野】
【０００１】
本考案は、洋式トイレの蓋に取り付けて使用するトイレの蓋カバーに関する。
【背景技術】
【０００２】
一般に、洋式トイレには便器の開口部の上部に開閉可能に設置された便座と、その上部に開口部を被覆し開閉可能に設置された蓋が取り付けられている。使用者は、蓋を開けて用を足す。
【０００３】
近年では、トイレに取り付けられたセンサーによって、人が近付くと自動で蓋を開き、手で触れずに蓋を開き清潔で快適な使用が可能なトイレがある。それらは比較的高価であるため、トイレの蓋にカバーを取り付けることによって直接蓋に手を触れずなくて済むようにすることがある。これらのカバーは、表面にデザインを施すことによって意匠性を高め、トイレの雰囲気を華やげたりすることもできる（例えば、特許文献１）。
【０００４】
しかし、トイレの蓋にカバーを取り付けたからといって、蓋の下部に手指をかけてふたを開くことに変わりはなく、使用者の中にはその行為に抵抗を感じる人も多い。そのため、トイレの蓋に手指をかけたりせずに蓋を開くことができつつ、直接蓋に触れないでトイレを開くことができる洋式トイレの蓋カバーが所望されていた。
【先行技術文献】
【特許文献】
【０００５】
【特許文献１】意匠登録第１１７４２０５号公報
【考案の概要】
【考案が解決しようとする課題】
【０００６】
本考案は、前記の点に鑑みなされたものであって、トイレの意匠性を高めつつ、洋式トイレの蓋に指をかけないで、かつ直接蓋に触れることなく容易に蓋を開くことができる洋式トイレの蓋カバーを提供するものである。
【課題を解決するための手段】
【０００７】
すなわち、請求項１の考案は、洋式トイレの蓋に取り付けられる蓋カバーであって、前記蓋の表面を被覆するカバー部と、前記カバー部の外周縁から内側に延設され前記蓋の前端部ないし周縁部の少なくとも一部を収容するポケット部と、前記蓋の後端部と係着する固定部とを備え、前記カバー部の前端近傍中央に取っ手部が形成されていることを特徴とする洋式トイレの蓋カバーに係る。
【０００８】
すなわち、請求項２の考案は、前記取っ手部とカバー部との間に手指が挿入可能な空隙部が形成されていることを特徴とする請求項１に記載の洋式トイレの蓋カバーに係る。
【０００９】
すなわち、請求項３の考案は、前記蓋カバーが布製である請求項１又は２に記載の洋式トイレの蓋カバーに係る。
【考案の効果】
【００１０】
請求項１の考案に係る洋式トイレの蓋カバーによると、式トイレの蓋に取り付けられる蓋カバーであって、前記蓋の表面を被覆するカバー部と、前記カバー部の外周縁から内側に延設され前記蓋の前端部ないし周縁部の少なくとも一部を収容するポケット部と、前記蓋の後端部と係着する固定部とを備え、前記カバー部の前端近傍中央に取っ手部が形成されているため、トイレの意匠性を高めつつ、洋式トイレの蓋に指をかけないで、かつ直接蓋に触れることなく容易に蓋を開くことができる。
【００１１】
請求項２の考案に係る洋式トイレの蓋カバーによると、請求項１の考案において、前記取っ手部とカバー部との間に手指が挿入可能な空隙部が形成されているため、洋式トイレの蓋に指をかけないで、かつ直接蓋に触れることなくより容易に蓋を開くことができる。
【００１２】
請求項３の考案に係る洋式トイレの蓋カバーによると、請求項１又は２の考案において、前記蓋カバーが布製であるため、容易に製造が可能であり、かつ洗うことができるため清潔である。
【図面の簡単な説明】
【００１３】
【図１】本考案の洋式トイレの蓋カバーの下面図である。
【図２】図１の蓋カバーをトイレの蓋に取り付けた状態を示す下面図である。
【図３】図１の蓋カバーの上面図である。
【図４】図１の蓋カバーの正面図である。
【考案を実施するための形態】
【００１４】
図１及び図２に示す洋式トイレの蓋カバーは、洋式トイレの蓋に取り付けられる蓋カバーである。該蓋カバー１０は、カバー部２０と、ポケット部３０と、固定部４０とを備え、カバー部２０には取っ手部５０が形成されている。蓋カバー１０は、請求項３に記載されるように布製が好ましい。蓋カバー１０が洗濯されることができ、清潔である。カバー部２０は洋式トイレの蓋９０の表面を被覆する。カバー部２０は柄や色彩等のデザインを自由に選択されることができ、意匠性に優れる。カバー部２０は、洋式トイレの蓋の形状に合わせて略半楕円形状等適宜に選択される。
【００１５】
ポケット部３０は、カバー部２０の外周縁２１から内側に延設され蓋９０の前端部９１ないし周縁部９２の少なくとも一部が収容される。ポケット部３０を大きく形成するとより安定して蓋カバー１０が取り付けられることができる。ポケット部３０の内周縁３１に弾性体３２が備えられてもよい。内周縁３１が伸縮可能であれば、蓋カバー１０の蓋９０への装着がより簡単になり、また外れにくくなる。
【００１６】
そして、固定部４０は蓋９０の後端部９３と係着される。まず、ポケット部３０を蓋９０の前端部９１あたりが収容され、固定部４０を蓋９０の後端部９３と係着されることによって簡単に取り付けられることができる。ポケット部３０に蓋の少なくとも前端部９１が収められることで、取り付けられた蓋カバー１０のズレを容易に防ぐことができる。
【００１７】
固定部４０は、蓋９０の後端部９３と直接係着されてもよいし、図２に示されるように、後端部９３に引っ掛けて、蓋カバー１０に形成された受け部材４１に固定される構成でもよい。固定部４０の一部を弾性体４２とすることによって、様々なサイズのトイレの蓋に取り付けられることができる。
【００１８】
図３に示されるように、カバー部２０の前端近傍中央には取っ手部５０が形成される。カバー部２０の前端近傍中央に形成されることによって、ヒンジのある蓋９０の後端部９３との距離が大きくなり、蓋９０を片手で容易に開くことができる。また、請求項２に記載され、図４に示されるように、取っ手部５０とカバー部２０との間に手指が挿入可能な空隙部５１が形成されるのがよい。さらに容易に蓋９０を開くことができる。取っ手部５０は、任意の固定具５２により取り付けられたり直接縫い合わされたりしてもよい。
【００１９】
上述の通り、本考案の蓋カバー１０は、蓋の上面及び側面ないし下面の周縁部近傍を被覆する構成であって、上面に配置されたカバー部２０に取り付けられた取っ手部５０を掴んで持ち上げることで、トイレの蓋９０を開けることができることから、トイレの蓋９０に直接手を触れることなく、容易に蓋９０を開けることができる。また、カバー部２０は自由にデザインが可能であることから、意匠性が高く有用である。
【符号の説明】
【００２０】
１０      蓋カバー
２０      カバー部
２１      外周縁
３０      ポケット部
３１      内周縁
３２      弾性体
４０      固定部
４１      受け部材
４２      弾性体
５０      取っ手部
５１      空隙部
５２      固定具
９０      蓋
９１      前端部
９２      周縁部
９３      後端部
【図１】
0003211818.tif 000003
【図２】
0003211818.tif 000004
【図３】
0003211818.tif 000005
【図４】
0003211818.tif 000006